(57)【特許請求の範囲】
【請求項１】
電池のインピーダンスについての周波数特性を測定する測定部と、
前記測定された各周波数でのインピーダンスの実数成分および虚数成分を、当該実数成分を横軸にし、かつ当該虚数成分にマイナス符号を付した値を縦軸にした座標平面にプロットしてナイキストプロットを作成する処理、前記作成したナイキストプロットにおける前記虚数成分がゼロとなる点での前記実数成分の成分値、高周波側の極大点での第１周波数および低周波側の極大点での第２周波数を特定する処理、前記成分値について予め規定された複数の判定抵抗範囲と前記特定した成分値とを比較して当該成分値が含まれる前記判定抵抗範囲を特定する処理、前記第１周波数について予め規定された複数の第１判定周波数帯域と前記特定した第１周波数とを比較して当該第１周波数が含まれる前記第１判定周波数帯域を特定する処理、前記第２周波数について予め規定された複数の第２判定周波数帯域と前記特定した第２周波数とを比較して当該第２周波数が含まれる前記第２判定周波数帯域を特定する処理、並びに前記特定した判定抵抗範囲、前記特定した第１判定周波数帯域および前記特定した第２判定周波数帯域に基づいて前記電池を選別する処理を実行する処理部とを備えている電池選別装置。
【請求項２】
電池のインピーダンスについての周波数特性を測定する処理と、
前記測定した各周波数でのインピーダンスの実数成分および虚数成分を、当該実数成分を横軸にし、かつ当該虚数成分にマイナス符号を付した値を縦軸にした座標平面にプロットしてナイキストプロットを作成する処理と、
前記作成したナイキストプロットにおける前記虚数成分がゼロとなる点での前記実数成分の成分値、高周波側の極大点での第１周波数および低周波側の極大点での第２周波数を特定する処理と、
前記成分値について予め規定された複数の判定抵抗範囲と前記特定した成分値とを比較して当該成分値が含まれる前記判定抵抗範囲を特定する処理と、
前記第１周波数について予め規定された複数の第１判定周波数帯域と前記特定した第１周波数とを比較して当該第１周波数が含まれる前記第１判定周波数帯域を特定する処理と、
前記第２周波数について予め規定された複数の第２判定周波数帯域と前記特定した第２周波数とを比較して当該第２周波数が含まれる前記第２判定周波数帯域を特定する処理と、
前記特定した判定抵抗範囲、前記特定した第１判定周波数帯域および前記特定した第２判定周波数帯域に基づいて前記電池を選別する処理とを実行する電池選別方法。
【発明の詳細な説明】
【技術分野】
【０００１】
本発明は、リチウムイオン電池や鉛蓄電池などの電池（二次電池）を選別する電池選別装置および電池選別方法に関するものである。
【背景技術】
【０００２】
下記特許文献１には、被測定対象である電池の特性を評価する電池特性評価方法が開示されている。この電池特性評価方法では、被測定対象である電池のインピーダンスを周波数を変化させつつ測定し、測定した各周波数でのインピーダンスの実数成分と虚数成分とをプロットしてナイキストプロット（コールコールプロットとも呼ばれている）を作成する。次いで、このナイキストプロットに基づいて単位回路が接続された回路モデルを作成すると共に、単位回路に対して周波数範囲を割り当てる。続いて、単位回路に割り当てられた周波数範囲に基づき、回路モデルを構成する単位回路の素子についての電気的特性値を求めるフィッティングを行う。最後に、求めた単位回路を構成する素子の電気的特性値に基づいて、回路モデルのナイキストプロットを作成し、この作成したナイキストプロットと、測定したインピーダンスの実数成分と虚数成分とから作成したナイキストプロット（実測のナイキストプロット）とを比較して、回路モデルの妥当性を判断する。
【０００３】
また、この電池特性評価方法では、回路モデルのナイキストプロットと、実測のナイキストプロットとを比較して、回路モデルの妥当性を判断する際に、図９に示すように、実測のナイキストプロットＡに対し、その上限および下限となる点線で示す許容範囲Ｂ（斜線を付した領域）を定め、実測のナイキストプロットがこの範囲内にあるか否かで判断している。
【０００４】
本願発明者は、この電池特性評価方法において使用されている上記の技術、すなわち、図９に示すように、実測のナイキストプロット全体に対する許容範囲を定め、実測のナイキストプロットがこの許容範囲内にあるか否かで判断する技術を応用して、電池を選別する電池選別方法を開発している。この電池選別方法では、まず、特性が既知の複数の電池についてのインピーダンスを実測すると共に、この実測したインピーダンスに基づいて、実測のナイキストプロット全体に対する上記の許容範囲を電池の特性毎に予め複数作成する。次いで、特性が未知の電池を選別する際には、この電池についてのインピーダンスを実測してナイキストプロットを作成し、この作成したナイキストプロット全体と予め作成した複数の許容範囲とを比較して、いずれの許容範囲内にあるかに基づいて電池の特性を特定して、特定した特性が近いもの同士をまとめることで選別する。このようにして複数の電池を特性毎に予め選別しておくことにより、特性の近いもの同士を直列に接続してモジュール化することができるため、モジュール化された電池の寿命を延ばすことが可能となる。
【先行技術文献】
【特許文献】
【０００５】
【特許文献１】特開２０１１−２３２０７５号公報（第６−８頁、第４図）
【発明の概要】
【発明が解決しようとする課題】
【０００６】
ところが、本願発明者が開発した上記の電池選別方法には、以下のような改善すべき課題が存在している。すなわち、実測のナイキストプロット全体との比較に使用される許容範囲を規定する上限および下限を示す各線は、それぞれ各周波数におけるインピーダンスの実数成分（Ｒ）と虚数成分（−Ｘ）とで規定される値で規定される。したがって、１つの許容範囲を規定するためのデータ量がそもそも多いことから、複数の許容範囲を規定する上記の電池選別方法では、複数の許容範囲を規定するためのデータの量、つまり電池の特性を特定するために使用する特定用データの量が極めて多くなるという課題が存在している。
【０００７】
本発明は、かかる課題を改善するためになされたものであり、電池の特性を特定するための特定用データの量を大幅に削減し得る電池選別方法および電池選別装置を提供することを主目的とする。
【課題を解決するための手段】
【０００８】
上記目的を達成すべく請求項１記載の電池選別装置は、電池のインピーダンスについての周波数特性を測定する測定部と、前記測定された各周波数でのインピーダンスの実数成分および虚数成分を、当該実数成分を横軸にし、かつ当該虚数成分にマイナス符号を付した値を縦軸にした座標平面にプロットしてナイキストプロットを作成する処理、前記作成したナイキストプロットにおける前記虚数成分がゼロとなる点での前記実数成分の成分値、高周波側の極大点での第１周波数および低周波側の極大点での第２周波数を特定する処理、前記成分値について予め規定された複数の判定抵抗範囲と前記特定した成分値とを比較して当該成分値が含まれる前記判定抵抗範囲を特定する処理、前記第１周波数について予め規定された複数の第１判定周波数帯域と前記特定した第１周波数とを比較して当該第１周波数が含まれる前記第１判定周波数帯域を特定する処理、前記第２周波数について予め規定された複数の第２判定周波数帯域と前記特定した第２周波数とを比較して当該第２周波数が含まれる前記第２判定周波数帯域を特定する処理、並びに前記特定した判定抵抗範囲、前記特定した第１判定周波数帯域および前記特定した第２判定周波数帯域に基づいて前記電池を選別する処理を実行する処理部とを備えている。
【００１１】
請求項２記載の電池選別方法は、電池のインピーダンスについての周波数特性を測定する処理と、前記測定した各周波数でのインピーダンスの実数成分および虚数成分を、当該実数成分を横軸にし、かつ当該虚数成分にマイナス符号を付した値を縦軸にした座標平面にプロットしてナイキストプロットを作成する処理と、前記作成したナイキストプロットにおける前記虚数成分がゼロとなる点での前記実数成分の成分値、高周波側の極大点での第１周波数および低周波側の極大点での第２周波数を特定する処理と、前記成分値について予め規定された複数の判定抵抗範囲と前記特定した成分値とを比較して当該成分値が含まれる前記判定抵抗範囲を特定する処理と、前記第１周波数について予め規定された複数の第１判定周波数帯域と前記特定した第１周波数とを比較して当該第１周波数が含まれる前記第１判定周波数帯域を特定する処理と、前記第２周波数について予め規定された複数の第２判定周波数帯域と前記特定した第２周波数とを比較して当該第２周波数が含まれる前記第２判定周波数帯域を特定する処理と、前記特定した判定抵抗範囲、前記特定した第１判定周波数帯域および前記特定した第２判定周波数帯域に基づいて前記電池を選別する処理とを実行する。
【発明の効果】
【００１４】
請求項１記載の電池選別装置および請求項２記載の電池選別方法では、虚数成分がゼロとなる点での実数成分の成分値が含まれる判定抵抗範囲を特定する処理と、第１周波数が含まれる第１判定周波数帯域を特定する処理と、第２周波数が含まれる第２判定周波数帯域を特定する処理と、特定した判定抵抗範囲、特定した第１判定周波数帯域および特定した第２判定周波数帯域に基づいて電池を選別する処理とを実行する。
【００１５】
したがって、この電池選別装置および電池選別方法によれば、電池の選別に際して、ナイキストプロット全体と比較して電池の特性を特定する必要がなく、ナイキストプロットにおける虚数成分がゼロとなる点での実数成分の成分値との比較に使用するいくつかの判定抵抗範囲と共に、２つの極大点での各周波数との比較に使用するいくつかの第１判定周波数帯域および第２判定周波数帯域を規定しておくだけで電池の特性を特定して選別することができるため、電池の特性を特定するための特定用データの量を大幅に削減することができる。
【図面の簡単な説明】
【００１９】
【図１】電池選別装置１の構成を示す構成図である。
【図２】電池１１の等価回路（回路モデル）である。
【図３】図２の等価回路の電池についての理論上のナイキストプロットＡｔである。
【図４】実測した電池１１のインピーダンスＺから作成されたナイキストプロットＡｍである。
【図５】選別の際に使用する特定用テーブルＴＢ１である。
【図６】選別の際に使用する特定用テーブルＴＢ２である。
【図７】電池選別装置１の動作（電池選別方法）を説明するためのフローチャートである。
【図８】実測した電池１１のインピーダンスＺから求めたインピーダンスＺの虚数成分（−Ｘ）と周波数ｆとの関係を示すプロット曲線Ａｍ１（虚数成分（−Ｘ）の周波数特性図）である。
【図９】従来の電池の評価方法を説明するためのナイキストプロットＡである。
【発明を実施するための形態】
【００２０】
以下、電池選別装置および電池選別方法の実施の形態について、添付図面を参照して説明する。
【００２１】
最初に、電池選別装置１の構成について、図面を参照して説明する。
【００２２】
電池選別装置１は、図１に示すように、交流電流供給部２、電圧検出部３、処理部４、記憶部５および出力部６を備え、図２に示される等価回路（回路モデル）で表される同種の電池（リチウムイオン電池や鉛蓄電池などの二次電池）１１をその特性に基づいて複数のグループに選別する。
【００２３】
この等価回路、すなわち、抵抗２１（抵抗値Ｒ１）およびコンデンサ２２（静電容量値Ｃ１）の並列回路と、抵抗２３（抵抗値Ｒ２）と、抵抗２４（抵抗値Ｒ３）およびワールブルグインピーダンス２６の直列回路にコンデンサ２５（静電容量値Ｃ３）が並列接続されて構成された回路との直列回路で表される等価回路の電池１１についての理論上のナイキストプロットＡｔは、図３に示すようになることが知られている。
【００２４】
また、この図３のナイキストプロットＡｔ上の点Ｐ０（虚数成分（−Ｘ）がゼロになる最も高周波数側の点）での実数成分（Ｒ）は、抵抗２３の抵抗値Ｒ２を示すことが知られている。また、このナイキストプロットＡｔには２つの半円が現れて、この２つの半円のうちの高周波側の半円の半径は抵抗２１の抵抗値Ｒ１を示し、この半円の頂点（ナイキストプロットＡｔの高周波側の極大点）Ｐ１の周波数ｆ１は、１／（２×π×Ｒ１×Ｃ１）で表されることが知られている。また、２つの半円のうちの低周波側の半円の半径は抵抗２４の抵抗値Ｒ３を示し、この半円の頂点（ナイキストプロットＡｔの低周波側の極大点）Ｐ２の周波数ｆ２は、１／（２×π×Ｒ３×Ｃ３）で表されることが知られている。また、図３のナイキストプロットＡｔにおける低周波側の４５度の直線は、ワールブルグインピーダンス２６に起因するものであることも知られている。
【００２５】
交流電流供給部２は、一例として、交流定電流源およびＡ／Ｄ変換回路（いずれも図示せず）を備えている。交流電流供給部２では、交流定電流源が、一定の振幅の交流電流（交流定電流）Ｉ１を、処理部４によって指定された周波数ｆで生成して、電池１１に供給する。また、Ａ／Ｄ変換回路は、交流電流Ｉ１の波形を予め規定されたサンプリング周期でサンプリングすることにより、電流波形データＤｉに変換して処理部４に出力する。
【００２６】
電圧検出部３は、交流電流Ｉ１の供給に起因して電池１１の両端間に発生する交流電圧Ｖ１を検出すると共に、その波形を予め規定されたサンプリング周期（交流電流供給部２のサンプリング周期と同一で、かつ同期した周期）でサンプリングすることにより、電圧波形データＤｖに変換して処理部４に出力する。
【００２７】
処理部４は、ＣＰＵを備えて構成されて、測定部として機能して電池１１のインピーダンスＺについての周波数特性を測定する周波数特性測定処理、測定したインピーダンスＺの周波数特性に基づいて図４に示すようなナイキストプロットＡｍを作成するプロット作成処理、作成したナイキストプロットＡｍにおける虚数成分（−Ｘ）がゼロとなる点Ｑ０での実数成分（Ｒ）の値（実数成分の成分値Ｒｑ０（以下、実数成分Ｒｑ０ともいう））を検出する実数成分検出処理、作成したナイキストプロットＡｍにおける高周波側の極大点Ｑ１での第１周波数ｆｑ１および低周波側の極大点Ｑ２での第２周波数ｆｑ２を検出する周波数検出処理、検出した実数成分Ｒｑ０が含まれる判定抵抗範囲を図５に示す特定用テーブルＴＢ１に基づいて特定すると共にこの特定した判定抵抗範囲に基づいて電池１１を選別する１次選別処理、検出した第１周波数ｆｑ１が含まれる後述の第１判定周波数帯域を特定する第１特定処理、検出した第２周波数ｆｑ２が含まれる後述の第２判定周波数帯域を特定する第２特定処理、および特定した第１，第２判定周波数帯域に基づいて（図６に示す特定用テーブルＴＢ２に基づいて）電池１１を選別する２次選別処理を実行する。
【００２８】
この場合、上記のように、点Ｐ０での実数成分（Ｒ）が抵抗値Ｒ２を示し、極大点Ｐ１の周波数ｆ１は抵抗値Ｒ１および静電容量値Ｃ１で表され、極大点Ｐ２の周波数ｆ２は抵抗値Ｒ３および静電容量値Ｃ３で表される。これにより、電池１１の特性のばらつき（つまり、等価回路の各パラメータの値（抵抗値Ｒ１，Ｒ２，Ｒ３および静電容量値Ｃ１，Ｃ３）のばらつき）に起因して、図３における点Ｐ０での実数成分（Ｒ）、および各極大点Ｐ１．Ｐ２での周波数ｆ１，ｆ２がそれぞればらつくことになる。
【００２９】
したがって、周波数を変えながら電池１１のインピーダンスＺを実測し、この実測したインピーダンスＺに基づいて図４に示すようにナイキストプロットＡｍを作成した場合、図３における点Ｐ０に対応する図４のナイキストプロットＡｍ上の点Ｑ０（虚数成分（−Ｘ）がゼロとなる点）での実数成分Ｒｑ０、および図３における各極大点Ｐ１，Ｐ２に対応する図４のナイキストプロットＡｍ上の各極大点Ｑ１，Ｑ２での周波数ｆｑ１，ｆｑ２もまた、電池１１の特性のばらつきに起因して、それぞればらつくことになる。本例の電池選別方法および電池選別装置１では、このようにして電池１１の特性に応じて、点Ｑ０での実数成分（Ｒ）がばらつき、各極大点Ｑ１．Ｑ２での周波数ｆｑ１，ｆｑ２もばらつくことを利用して、電池１１を選別する。
【００３０】
このため、特定用テーブルＴＢ１の作成に際しては、例えば、まず、特性が既知である複数の電池１１についてのインピーダンスＺを実測すると共に、この実測したインピーダンスＺに基づいてナイキストプロットＡｍを作成する。次いで、各電池１１について作成したナイキストプロットＡｍ上に現れる点Ｑ０での実数成分Ｒｑ０を検出する。続いて、すべての電池１１についての実数成分Ｒｑ０が含まれる抵抗値の範囲を、例えば図４，５に示すように３等分（３つの判定抵抗範囲Ｗｒ１，Ｗｒ２，Ｗｒ３（Ｗｒ１＜Ｗｒ２＜Ｗｒ３）に等分割）することにより、特定用テーブルＴＢ１を作成する。
【００３１】
また、特定用テーブルＴＢ２の作成に際しては、例えば、上記のようにして作成した複数の電池１１についてのナイキストプロットＡｍ上に現れる２つの極大点Ｑ１，Ｑ２を検出すると共に、各極大点Ｑ１，Ｑ２での周波数（第１周波数ｆｑ１および第２周波数ｆｑ２（＜ｆｑ１））を特定する。次いで、すべての電池１１についての第１周波数ｆｑ１が含まれる周波数帯域を、例えば図４に示すように３等分（３つの第１判定周波数帯域ｆａ，ｆｂ，ｆｃ（ｆａ＞ｆｂ＞ｆｃ）に等分割）し、かつすべての電池１１についての第２周波数ｆｑ２が含まれる周波数帯域についても、例えば図４に示すように３等分（３つの第２判定周波数帯域ｆｄ，ｆｅ，ｆｇ（ｆｄ＞ｆｅ＞ｆｇ）に等分割）する。続いて、図６に示すように、第１判定周波数帯域ｆａ，ｆｂ，ｆｃおよび第２判定周波数帯域ｆｄ，ｆｅ，ｆｇの組み合わせを規定することにより、特定用テーブルＴＢ２を作成する。
【００３２】
記憶部５は、一例として、ＲＡＭやＲＯＭなどの半導体メモリで構成されて、処理部４用の動作プログラムおよび特定用テーブルＴＢ１，ＴＢ２が予め記憶されている。また、記憶部５は、処理部４のワークメモリとしても機能する。
【００３３】
出力部６は、一例として、液晶ディスプレイなどの表示装置で構成されて、処理部４によって実行された選別処理の結果を示す後述の選別結果データＤｓｅ１，Ｄｓｅ２を画面上に表示する。なお、表示装置に代えて、外部装置とデータ通信を行うインターフェース装置で構成して、この外部装置に選別結果データＤｓｅ１，Ｄｓｅ２を出力する構成を採用することもできる。
【００３４】
次に、電池選別装置１の電池選別動作および電池選別方法について図面を参照して説明する。
【００３５】
電池選別装置１では、処理部４は、図７に示す選別処理５０を実行する。この選別処理５０では、処理部４は、まず、周波数特性測定処理を実行する（ステップ５１）。この周波数特性測定処理では、処理部４は、まず、交流電流供給部２に対して周波数ｆを指定して、この指定した周波数ｆの交流電流Ｉ１を選別対象の電池１１に供給させる。この交流電流Ｉ１が電池１１に供給されている状態において、交流電流供給部２は、交流電流Ｉ１の波形を示す電流波形データＤｉを処理部４に出力し、電圧検出部３は、交流電流Ｉ１の供給に起因して電池１１の両端間に発生する交流電圧Ｖ１を検出すると共に電圧波形データＤｖに変換して処理部４に出力する。
【００３６】
次いで、処理部４は、電流波形データＤｉおよび電圧波形データＤｖを例えば１周期分ずつ取得して、記憶部５に記憶させる。続いて、処理部４は、記憶部５に記憶されている電流波形データＤｉおよび電圧波形データＤｖに基づいて、指定した周波数ｆでの電池１１についてのインピーダンスＺ（インピーダンスＺの実数成分（Ｒ）と虚数成分（−Ｘ））を算出して、指定した周波数ｆに対応させて記憶部５に記憶させる。処理部４は、交流電流供給部２に対して指定する周波数ｆを変化させつつ（例えば、高周波側から低周波側に順次変化させつつ）、指定した周波数ｆでのインピーダンスＺを算出すると共にこの周波数ｆに対応させて記憶部５に記憶させることにより、予め規定された周波数範囲（例えば、０．１Ｈｚ〜１０ｋＨｚの範囲）内でのインピーダンスＺについての周波数特性を測定する。これにより、周波数特性測定処理が完了する。
【００３７】
次いで、処理部４は、プロット作成処理を実行する（ステップ５２）。このプロット作成処理では、処理部４は、算出した各周波数でのインピーダンスＺ（インピーダンスＺの実数成分（Ｒ）と虚数成分（−Ｘ））に基づいて、図４に示すナイキストプロットＡｍを作成する。
【００３８】
続いて、処理部４は、実数成分検出処理（ステップ５３）を実行する。この実数成分検出処理では、処理部４は、作成したナイキストプロットＡｍにおける虚数成分（−Ｘ）がゼロとなる点Ｑ０での実数成分（Ｒ）の値（実数成分Ｒｑ０）を検出して、記憶部５に記憶させる。次いで、処理部４は、周波数検出処理を実行する（ステップ５４）。この周波数検出処理では、処理部４は、まず、作成したナイキストプロットＡｍにおける２つの極大点Ｑ１，Ｑ２を検出し、次いで、各極大点Ｑ１，Ｑ２での周波数（第１周波数ｆｑ１および第２周波数ｆｑ２）を検出して、記憶部５に記憶させる。
【００３９】
続いて、処理部４は、１次選別処理を実行する（ステップ５５）。この１次選別処理では、処理部４は、実数成分検出処理において検出した実数成分Ｒｑ０と、記憶部５に記憶されている特定用テーブルＴＢ１（特定用データの一部）とを比較して、この実数成分Ｒｑ０がどの判定抵抗範囲Ｗｒ１，Ｗｒ２，Ｗｒ３に含まれているかを検出し、この検出した結果に基づいて、電池１１に対する第１次選別（判定抵抗範囲Ｗｒ１，Ｗｒ２，Ｗｒ３のいずれに含まれるかの選別）を実行する。つまり、電池１１が判定抵抗範囲Ｗｒ１〜Ｗｒ３のいずれにその実数成分Ｒｑ０が含まれるグループに属する電池であるかの選別を実行する。また、処理部４は、１次選別処理の結果（判定抵抗範囲Ｗｒ１，Ｗｒ２，Ｗｒ３のうちのいずれに実数成分Ｒｑ０が含まれているグループに属する電池１１であるか）を示す選別結果データＤｓｅ１を記憶部５に記憶させる。例えば、図４に示すように、実数成分Ｒｑ０が判定抵抗範囲Ｗｒ２に含まれているときには、処理部４は、選別対象の電池１１がその実数成分Ｒｑ０が判定抵抗範囲Ｗｒ２に含まれているグループに属する電池であることを選別結果データＤｓｅ１として記憶部５に記憶させる。
【００４０】
次いで、処理部４は、第１特定処理を実行する（ステップ５６）。この第１特定処理では、処理部４は、周波数検出処理において検出した第１周波数ｆｑ１と第１判定周波数帯域ｆａ，ｆｂ，ｆｃ（特定用データの一部）とを比較して、第１周波数ｆｑ１が第１判定周波数帯域ｆａ，ｆｂ，ｆｃのうちのいずれに含まれるかを特定する。例えば、図４に示すように、第１周波数ｆｑ１が第１判定周波数帯域ｆｂに含まれているときには、処理部４は、第１判定周波数帯域ｆａ，ｆｂ，ｆｃと第１周波数ｆｑ１とを比較して、第１判定周波数帯域ｆｂを第１周波数ｆｑ１が含まれる第１判定周波数帯域であると特定する。
【００４１】
続いて、処理部４は、第２特定処理を実行する（ステップ５７）。この第２特定処理では、処理部４は、周波数検出処理において検出した第２周波数ｆｑ２と第２判定周波数帯域ｆｄ，ｆｅ，ｆｇ（特定用データの一部）とを比較して、第２周波数ｆｑ２が第２判定周波数帯域ｆｄ，ｆｅ，ｆｇのうちのいずれに含まれるかを特定する。例えば、図４に示すように、第２周波数ｆｑ２が第２判定周波数帯域ｆｄに含まれているときには、処理部４は、第２判定周波数帯域ｆｄ，ｆｅ，ｆｇと第２周波数ｆｑ２とを比較して、第２判定周波数帯域ｆｄを第２周波数ｆｑ２が含まれる第２判定周波数帯域であると特定する。
【００４２】
次いで、処理部４は、２次選別処理を実行する（ステップ５８）。この２次選別処理では、処理部４は、第１特定処理およｂ第２特定処理において特定した第１判定周波数帯域および第２判定周波数帯域に基づいて電池１１に対する第２次選別を実行する。具体的には、第１特定処理および第２特定処理において特定した第１判定周波数帯域および第２判定周波数帯域と、図６に示す特定用テーブルＴＢ２（特定用データの一部）とに基づいて、電池１１に対する選別（９個の判定周波数範囲Ｗｆ１〜Ｗｆ９のうちのいずれに含まれるかの選別）を実行する。つまり、電池１１が判定周波数範囲Ｗｆ１〜Ｗｆ９のいずれにその第１周波数ｆｑ１および第２周波数ｆｑ２が含まれるグループに属する電池であるかの選別を実行する。例えば、図４に示すナイキストプロットＡｍが作成された電池１１では、上記のように第１判定周波数帯域ｆｂおよび第２判定周波数帯域ｆｄが特定されているため、特定用テーブルＴＢ２に基づいて、処理部４は、選別対象の電池１１がその第１周波数ｆｑ１および第２周波数ｆｑ２が判定周波数範囲Ｗｆ４に含まれているグループに属する電池であることを選別結果データＤｓｅ２として記憶部５に記憶させる。
【００４３】
この２次選別処理の完了により、電池１１は、選別結果データＤｓｅ１で示されるように、実数成分Ｒｑ０が判定抵抗範囲Ｗｒ２に含まれ、かつ選別結果データＤｓｅ２で示されるように第１周波数ｆｑ１および第２周波数ｆｑ２に関して、判定周波数範囲Ｗｆ４に含まれる電池として選別される。最後に、処理部４は、選別結果データＤｓｅ１および選別結果データＤｓｅ２の内容を出力部６に出力（表示）させる。これにより、電池選別装置１による電池１１に対する電池選別動作が完了する。
【００４４】
このように、この電池選別方法および電池選別装置１では、電池１１についてのナイキストプロットＡｍにおける高周波側の極大点Ｑ１での第１周波数ｆｑ１および低周波側の極大点Ｑ２での第２周波数ｆｑ２を特定する周波数検出処理（ステップ５４）と、第１周波数ｆｑ１が含まれる第１判定周波数帯域を第１判定周波数帯域ｆａ，ｆｂ，ｆｃのうちから特定する第１特定処理（ステップ５６）と、第２周波数ｆｑ２が含まれる第２判定周波数帯域を第２判定周波数帯域ｆｄ，ｆｅ，ｆｇのうちから特定する第２特定処理（ステップ５７）と、特定した第１判定周波数帯域および第２判定周波数帯域と特定用テーブルＴＢ２とに基づいて電池１１を選別する２次選別処理（ステップ５８）とを実行する。
【００４５】
したがって、この電池選別方法および電池選別装置１によれば、電池１１の選別に際して、ナイキストプロットＡｍ全体と比較して電池１１の特性を特定する必要がなく、ナイキストプロットＡｍにおける２つの極大点Ｑ１，Ｑ２での各周波数ｆｑ１，ｆｑ２との比較に使用するいくつかの第１判定周波数帯域（本例では第１判定周波数帯域ｆａ，ｆｂ，ｆｃの３つ）および第２判定周波数帯域（本例では第２判定周波数帯域ｆｄ，ｆｅ，ｆｇ）を規定しておくだけで電池１１の特性を特定して選別することができるため、電池１１の特性を特定するための特定用データの量を大幅に削減することができる。
【００４６】
なお、上記の構成に限定されない。例えば、上記のインピーダンスＺから算出した各周波数での虚数成分（−Ｘ）と、それに対応する周波数とを、虚数成分（−Ｘ）を縦軸とし、周波数を横軸とした座標平面にプロットすると、図８に示すようなプロット曲線Ａｍ１が作成され、このプロット曲線Ａ１においても、上記のナイキストプロットＡｍと同様にして、ナイキストプロットＡｍ１の各極大点Ｑ１，Ｑ２にそれぞれ対応する２つの極大点Ｑ１１，Ｑ１２が、対応する各極大点Ｑ１，Ｑ２の第１周波数ｆｑ１，ｆｑ２と同じ周波数において現れる。このため、上記した選別処理５０におけるプロット作成処理（ステップ５２）において、図８に示すプロット曲線Ａ１を作成し、このプロット曲線Ａ１を使用して、上記した周波数検出処理（ステップ５４）、第１特定処理（ステップ５６）、および第２特定処理（ステップ５７）を実行して、電池１１を選別することもできる。なお、同図における第１判定周波数帯域ｆａ，ｆｂ，ｆｃおよび第２判定周波数帯域ｆｄ，ｆｅ，ｆｇは、図４に示す第１判定周波数帯域ｆａ，ｆｂ，ｆｃおよび第２判定周波数帯域ｆｄ，ｆｅ，ｆｇと同じ周波数帯域を示している。
【００４７】
また、上記の例では、一例として、点Ｑ０での実数成分Ｒｑ０に対して３つの判定抵抗範囲Ｗｒ１，Ｗｒ２，Ｗｒ３を規定し、かつ極大点Ｑ１での第１周波数ｆｑ１に対して３つの第１判定周波数帯域ｆａ，ｆｂ，ｆｃを規定すると共に極大点Ｑ２での第２周波数ｆｑ２に対して３つの第２判定周波数帯域ｆｄ，ｆｅ，ｆｇを規定する構成を採用しているが、判定抵抗範囲、第１判定周波数帯域および第２判定周波数帯域の数はそれぞれ任意の個数に規定することができる。この場合、これらの個数を増やすのに従い、電池１１の特性を特定するための特定用データの量も増加するが、判定抵抗範囲、第１判定周波数帯域および第２判定周波数帯域の各数を十数個程度に増やしたとしても、ナイキストプロット全体と比較する特定用データを用意する構成と比較して、特定用データのデータ量を十分に少ない状態に確実に維持することができる。
【００４８】
また、上記の例では、予め規定された周波数範囲（例えば、０．１Ｈｚ〜１０ｋＨｚの範囲）内でのインピーダンスＺについての周波数特性を周波数特性測定処理において測定する構成を採用しているが、ナイキストプロットＡｍにおいて各極大点Ｑ１，Ｑ２が現れる周波数帯域（すなわち、極大点Ｑ１についての各第１判定周波数帯域ｆａ，ｆｂ，ｆｃ全体（第１判定周波数帯域ｆａの上限周波数から第１判定周波数帯域ｆｃの下限周波数までの周波数帯域）、および極大点Ｑ２についての各第２判定周波数帯域ｆｄ，ｆｅ，ｆｇ全体（第２判定周波数帯域ｆｄの上限周波数から第２判定周波数帯域ｆｇの下限周波数までの周波数帯域））と、点Ｑ０が現れる周波数帯域とにおけるインピーダンスＺについての周波数特性のみを周波数特性測定処理において測定する構成を採用することもできる。この構成を採用することにより、周波数特性測定処理に要する時間を十分に短縮することができる。
【００４９】
また、上記の例では、電池１１についてのナイキストプロットＡｍにおける各極大点Ｑ１，Ｑ２での周波数ｆｑ１，ｆｑ２と、点Ｑ０での実数成分Ｒｑ０とに基づいて、電池１１を選別する構成を採用しているが、電池１１についてのナイキストプロットＡｍにおける各極大点Ｑ１，Ｑ２での周波数ｆｑ１，ｆｑ２に基づく選別だけでよい場合には、点Ｑ０での実数成分Ｒｑ０に基づく選別（１次選別処理）を省く構成を採用することもできる。
【符号の説明】
【００５０】
１  電池選別装置
４  処理部
１１  電池
ｆａ，ｆｂ，ｆｃ  第１判定周波数帯域
ｆｄ，ｆｅ，ｆｇ  第２判定周波数帯域
ｆｑ１  第１周波数
ｆｑ２  第２周波数
Ｑ１  極大点（高周波側）
Ｑ２  極大点（低周波側）
Ｒ  実数成分
−Ｘ  虚数成分
【図１】
0005897344.tif 000002
【図２】
0005897344.tif 000003
【図３】
0005897344.tif 000004
【図４】
0005897344.tif 000005
【図５】
0005897344.tif 000006
【図６】
0005897344.tif 000007
【図７】
0005897344.tif 000008
【図８】
0005897344.tif 000009
【図９】
0005897344.tif 000010